(57)【要約】      （修正有）【課題】タンクに貯めた雪を簡単な構造で経済的に融かす。【解決手段】ホッパ１から温水タンク２へ雪３を落とし込むときホッパ１の側壁・隔壁４および温水タンク２上部の側壁および温水タンク２上部に生じる雪３のブリッジにジェットポンプ５から供給される高圧温水を吹付け、雪３のブリッジを破壊する構造を示す。温水タンク２の温水を加熱するにはラジアントチューブ６を用い、ジェットポンプ５の駆動には空気圧縮機７から供給される圧縮空気を用いる。【選択図】図１
2009127226.tif 000002
【特許請求の範囲】
【請求項１】
タンクの上に雪を貯め、タンクの底部にラジアントチューブあるいは水中バーナを設けて造る温水を貯め、この温水をポンプにより雪のブリッジの足場となるタンクの側壁およびその他の箇所に噴射することを特長とする融雪装置。
【請求項２】
タンクの上に雪を貯め、タンクの底部にラジアントチューブあるいは水中バーナを設けて造る温水を貯め、空気を駆動用媒体としてこの温水を雪のブリッジの足場となるタンクの側壁およびその他の箇所に噴射することを特長とする融雪装置。
【請求項３】
タンクの底部にラジアントチューブあるいは水中バーナを設けて造る温水を貯め、タンクの上に分割隔壁を設け、この分割隔壁の間に雪を貯め、この分割隔壁およびタンク側壁を電熱または間接的に蒸気または温水により加熱して、分割隔壁に接する雪を下部の温水の中に落として融かすことを特長とする融雪装置。
【発明の詳細な説明】
【技術分野】
【０００１】
本発明はタンクの底に温水を貯め、これを燃料を用いて加熱し、タンクに投入した雪が造るブリッジを破壊するのにポンプあるいはジェットポンプあるいは加熱分割隔壁を用いる融雪装置に関するものである。
【背景技術】
【０００２】
都市部では道路・敷地に積もった雪を河川に流すことができなくなったので燃料を使って融かさなければならない。従来はタンクに雪を入れ、底に貯めた温水に落し込んで融かしていたが、この場合雪はタンクの上部にブリッジを造って下に落ちないので、これに蒸気または温水を振掛けて融かしていたが、蒸気または温水は雪に孔を空けるだけで雪は下に落ちない。
【０００３】
またタンク内の温水を加熱するのに従来はこの温水をボイラの給水として直接ボイラに供給するものが多かったが、これではボイラに雪が持込んだ泥などの不純物が持込まれボイラが汚れ、遂には焼損してしまう。
【発明の開示】
【発明が解決しようとする課題】
【０００４】
本発明はこの欠点を克服する、即ち、１雪のブリッジを破壊すること、２ボイラの汚れをなくす、ことを目的とする。  
【課題を解決するための手段】
【０００５】
雪のブリッジはこれを支持するタンクの側壁に加熱した空気あるいは水を噴射すればよい。ただし、雪がタンクの温水に落ちると表面近くの温水の温度が下がり、雪は融けずに温水の表面に浮かぶからその上に積もった雪はブリッジを造り、浮雪が完全に融けるまではブリッジが残る場合がある。この場合にはブリッジを破壊するために温水をブリッジに噴射しなければならない。タンクの底には温水があるので噴射する水はこれを使い、特殊なポンプを用いるとよいが、圧縮空気を駆動媒体とするジェットポンプで温水を吸込み、高圧で吹き出すと特殊なポンプを用いなくて済む。ジェットポンプの噴水は上述の理由でタンク側壁と雪に吹付ける。雪に吹付ければ雪は分割されて落ちるので融けるのが速くなる。
【０００６】
また雪のブリッジはこれを支持するタンクの側壁を電気・蒸気・温水を用いて加熱してもよい。蒸気は新たに造らなければならず、タンクの温水はポンプを汚すから電熱による方法が簡便である。上述のブリッジを破壊し、雪を大きな固まりとせず落とすためには分割隔壁を設け、加熱するとよい。
【０００７】
ボイラの汚れをなくすにはタンク内の温水を使わず、独立した蒸気あるいは温水の循環回路を用いるのがよい。この場合タンク内の温水の加熱は熱交換器を用いることになる。この装置はやや複雑で高価になる。
【０００８】
ラジアントチューブを用いると熱交換器は不要であるから装置は簡単になる。この場合チューブの長さを適当にして伝熱面を大きくできる。排ガスをタンク内の温水に入れ、排ガスの熱を完全に利用するとよい。
【０００９】
もっと簡単にするには水中バーナを用いる。この場合は伝熱面がないので装置は簡単になる。ただし火炎の長さがタンク内の温水の水深より短くなる必要があり、また燃料の供給が困難と云う制約がある。
「従来の装置との比較」
タンクの下部に温水を貯め、雪を上から入れ、これに蒸気あるいは温水を振掛ける融雪装置は雪は融けずに穴が空くだけである。タンク内の温水をボイラに入れ、融雪用蒸気あるいは温水を造る装置はボイラが汚れる。ボイラと熱交換器を用いるものは独立の循環回路を持つためボイラの汚染はないが、構造が複雑で高価になる。  
【００１０】
これに対して本発明の融雪装置の特殊なポンプ（汚水ポンプ）やジェットポンプを用いるものはタンク内の積雪のブリッジを破壊して雪をタンク底の温水に落し込むことができ、加熱分割隔壁を用いるものは積雪のブリッジを破壊して雪をタンク底の温水に落し込むことができる。
【００１１】
本発明のラジアントチューブを用いるものは熱交換器が不要であるから構造が簡単であり、水中バーナを用いるものはチューブがないので更に簡単になる。
【発明の効果】
【００１２】
本発明ではタンクに温水を貯め、これに雪を落し込んで融かす場合に、雪がブリッジになるのを防ぐのに、１汚水ポンプを用い、多量の温水を吸込み、圧力を上げてタンク側壁および雪に温水を噴射してブリッジをなくし、雪を適当な大きさに分割して温水プールに落とす方法と、２汚水ポンプの代わりに、空気を駆動用媒体とするジェットポンプを用いる方法と、３タンク側壁および分割隔壁を電熱、蒸気あるいは温水の間接加熱により暖めてブリッジをなくし、雪を適当な大きさに分割して温水プールに落とす方法がある。何れも効果的な融雪方法である。ただし、汚水ポンプを用いるものは特殊なポンプを要し、雪中の泥・砂・石などを扱うので摩耗や故障が生じ易い。
【００１３】
本発明のラジアントチューブや水中バーナを用いると構造を簡単にでき、タンク内の温水を直接ボイラの給水に用いる従来のボイラのように汚れによりボイラが破損するのを防ぐことができる。温水の中に設け、チューブの長さを適当に長くし、排ガスを温水中に放出するなど加熱の熱効率を高めるただしラジアントチューブは排ガスを大気に放出するため熱効率が低い欠点がある。これは水中バーナのように排ガスをプールの温水中に放出すればよい。水中バーナは火炎の長さが温水の水深以下である制約があり、燃料の供給にやや困難がある。
【発明を実施するための最良の形態】
【００１４】
本発明はタンクに貯めた雪を簡単な構造で経済的に融かす装置に関するものである。雪は温水プールに入れ融かすのが最も簡単であるが、タンク内の雪はブリッジを造って下に落ちない。そこで本発明では圧縮空気を駆動媒体とするジェットポンプによりタンク内の温水を吸上げ、高圧にしてをタンクの側壁および雪に噴射してブリッジを破壊する。タンク内の温水を加熱するにはラジアントチューブを温水の中に設けるのがよい。これは図１に示される。
【実施例】
【００１５】
図１はラジアントチューブを温水の中に設け、空気を駆動用媒体とするジェットポンプにより多量・高圧の温水をタンク側壁および雪に噴射してブリッジをなくす融雪装置を示す。
【００１６】
図２はラジアントチューブを温水の中に設け、受雪部のタンク側壁および分割隔壁を電気で加熱して雪のブリッジをなくす融雪装置を示す。
【００１７】
温水加熱方法とブリッジ破壊方法の組合わせは
１．熱交換器つき蒸気あるいは温水ボイラ＋ポンプあるいはジェットポンプ
２．熱交換器つき蒸気あるいは温水ボイラ＋タンク側壁および分割隔壁加熱
３．ラジアントチューブ＋ポンプあるいはポンプあるいは
４．ラジアントチューブ＋タンク側壁および分割隔壁加熱
５．水中バーナ＋ポンプあるいはジェットポンプ
６．水中バーナ＋タンク側壁および分割隔壁加熱
である。図１は３のジェットポンプ、図２は４である。
【産業上の利用可能性】
【００１８】
都市部では道路・敷地の雪を河川に流すことができず燃料を使って融かさなければならない。そこでタンクに雪を入れ、底に貯めた温水に落し込んで融かす融雪装置が考案されたが、雪はタンクにブリッジを造って落ちないので、蒸気または温水を振掛けて融かしていたが、これでは雪は孔が空けるだけで下に落ちない。また温水を暖めるのに温水をボイラの給水とする方法が採用されていたが、ボイラが汚れ破損する欠点があった。
【００１９】
本発明ではブリッジを破壊するのに、１ポンプで温水をタンク側壁および雪に噴射する、２ポンプの代わりにジェットポンプを用いる。３タンク側壁および分割隔壁を電熱などで加熱する方法を用いた。ただし、汚水ポンプを用いるものは汚水ポンプの汚れ、破損がある。
【００２０】
また本発明ではタンクの温水を加熱するのに、１ラジアントチューブ、２水中バーナを用いる。
【００２１】
これらの装置により融雪は簡単・確実に行われる。特に、ジェットポンプを用いるブリッジ破壊は強力であり汚れや故障が少なく、分割隔壁を用いるブリッジ破壊は構造が簡単であり、ラジアントチューブによる温水加熱は構造簡単である。
【００２２】
このように本発明による融雪装置は構造が比較的簡単であり乍ら融雪が確実かつ効果的である。またジェットポンプ用空気圧縮機・ジェットポンプ・ラジアントチューブなどは汚れが少ないか、簡単に掃除ができるので、耐久性が大きい。このため産業上利用可能性が大きいと考えられる。
【図面の簡単な説明】
【００２３】
【図１】本発明の一実施例であるが、ホッパ１から温水タンク２へ雪３を落とし込むときホッパ１の側壁・隔壁４および温水タンク２上部の側壁および温水タンク２上部に生じる雪３のブリッジにジェットポンプ５から供給される高圧温水を吹付け、雪３のブリッジを破壊する構造を示す。温水タンク２の温水を加熱するにはラジアントチューブ６を用い、ジェットポンプ５の駆動には空気圧縮機７から供給される圧縮空気を用いる。
【図２】本発明の他の実施例であるが、ホッパ１から温水タンク２へ雪３を落とし込むときホッパ１の側壁・隔壁４および温水タンク２上部の側壁・隔壁４に設けた電熱器８により雪３のブリッジを破壊する構造を示す。温水タンク２の温水を加熱するにはラジアントチューブ７を用い、電熱器８には電源９から電気を送る。
【符号の説明】
【００２４】
１．ホッパ
２．温水タンク
３．雪
４．隔壁
５．ジェットポンプ
６．ラジアントチューブ
７．空気圧縮機
８．電熱器
９．電源
【図１】
2009127226.tif 000003
【図２】
2009127226.tif 000004